(57)【要約】      （修正有）【課題】ユーザがレジストレーションを調整する負担を軽減する。【解決手段】投影装置１００は、入力画像に基づく投影用画像を投影する投影部１０７と、投影用画像のレジストレーション調整を行うレジストレーション調整部１０５と、投影環境に応じて入力画像の補正を行うキーストン補正部１０４と、レジストレーション調整部１０５とキーストン補正部１０４を制御する制御部１０２と、を有し、制御部１０２は、レジストレーション調整を単独で実行する単独調整モードと、レジストレーション調整と入力画像の補正とを実行する複合調整モードと、を切り換える。また制御部１０２は、レジストレーション調整を実行する際、キーストン補正部１０４による補正を実行している場合、複合調整モードに切り換える。【選択図】図１
2019041255.tif 000002
【特許請求の範囲】
【請求項１】
入力画像に基づく投影用画像を投影する投影手段と、
前記投影用画像のレジストレーション調整を行う調整手段と、
投影環境に応じて前記入力画像の補正を行う補正手段と、
前記調整手段と前記補正手段を制御する制御手段と、を有し、
前記制御手段は、前記レジストレーション調整を単独で実行する単独調整モードと、前記レジストレーション調整と前記入力画像の補正とを実行する複合調整モードと、を切り換えることを特徴とする投影装置。
【請求項２】
前記制御手段は、前記レジストレーション調整を実行する際、前記補正手段による補正を実行している場合、前記複合調整モードに切り換えることを特徴とする、
請求項１に記載の投影装置。
【請求項３】
前記単独調整モードにおいて設定されたレジストレーション調整値である基礎調整値と、前記複合調整モードにおいて設定されたレジストレーション調整値である特定調整値と、を記憶する記憶手段をさらに有することを特徴とする、
請求項１又は２に記載の投影装置。
【請求項４】
前記記憶手段は、前記投影手段が有するレンズの駆動状態に関連付けて、前記基礎調整値を記憶することを特徴とする、
請求項３に記載の投影装置。
【請求項５】
前記記憶手段は、前記投影手段に装着されるレンズの種類に関連付けて、前記基礎調整値を記憶することを特徴とする、
請求項３又は４に記載の投影装置。
【請求項６】
前記記憶手段は、前記単独調整モードが実行される前に書き込まれたレジストレーション調整値である初期設定値をさらに記憶し、
前記制御手段は、前記単独調整モードにおいて、前記初期設定値に対する差分値として前記基礎調整値を設定するための画面を前記投影手段に投影させることを特徴とする、
請求項３から５のいずれか一項に記載の投影装置。
【請求項７】
前記記憶手段は、前記初期設定値を前記投影手段が有するレンズの駆動状態に関連付けて記憶し、
前記制御手段は、前記単独調整モードにおいて、前記投影手段が有するレンズの駆動状態に対応する前記初期設定値に対する差分値として前記基礎調整値を設定するための画面を前記投影手段に投影させることを特徴とする、
請求項６に記載の投影装置。
【請求項８】
前記記憶手段は、前記初期設定値を前記投影手段に装着されるレンズの種類に関連付けて記憶し、
前記制御手段は、前記単独調整モードにおいて、前記投影手段に装着されるレンズの種類に対応する前記初期設定値に対する差分値として前記基礎調整値を設定するための画面を前記投影手段に投影させることを特徴とする、
請求項６に記載の投影装置。
【請求項９】
前記記憶手段は、前記複合調整モードにおいて実行された前記入力画像の補正値に関連付けて、前記特定調整値を記憶することを特徴とする、
請求項３から８のいずれか一項に記載の投影装置。
【請求項１０】
前記記憶手段は、前記複合調整モードにおいて実行された前記入力画像の補正値及び前記特定調整値の組合せを識別するための識別情報に関連付けて、前記特定調整値を記憶することを特徴とする、
請求項３から９のいずれか一項に記載の投影装置。
【請求項１１】
ユーザの操作を受け付ける受付手段をさらに有し、
前記制御手段は、前記受付手段が前記識別情報を特定するための操作を受け付けた場合に、特定した前記識別情報に対応する前記特定調整値を基準とする調整値を設定するための画面を前記投影手段に投影させることを特徴とする、
請求項１０に記載の投影装置。
【請求項１２】
前記制御手段は、前記複合調整モードにおいて、前記基礎調整値に対する差分値として前記特定調整値を設定するための画面を前記投影手段に投影させることを特徴とする、
請求項３から１１のいずれか一項に記載の投影装置。
【請求項１３】
前記制御手段は、前記補正手段により前記入力画像を補正している状態で前記単独調整モードが起動された場合に、前記補正手段により前記入力画像を補正している状態を解除してから、レジストレーション調整を行うための調整用画像を前記投影手段に投影させることを特徴とする、
請求項１から１２のいずれか一項に記載の投影装置。
【請求項１４】
前記制御手段は、キーストン補正をしている状態で前記単独調整モードが起動された場合に、キーストン補正をすることなく前記調整用画像を前記投影手段に投影させることを特徴とする、
請求項１３に記載の投影装置。
【請求項１５】
制御手段は、前記複合調整モードにおいて、前記レジストレーション調整と、前記入力画像の補正としてのキーストン補正とを実行することを特徴とする、
請求項１から１４のいずれか一項に記載の投影装置。
【請求項１６】
コンピュータが実行する、
入力画像に基づく投影用画像のレジストレーション調整を単独で実行する単独調整モードと、前記投影用画像のレジストレーション調整と投影環境に応じて行う前記入力画像の補正とを実行する複合調整モードとを切り換えるステップと、
前記切り換えるステップの後に、前記単独調整モード又は前記複合調整モードを実行するステップと、
前記単独調整モード又は前記複合調整モードを実行した後に前記投影用画像を投影するステップと、
を有することを特徴とするレジストレーション調整方法。
【発明の詳細な説明】
【技術分野】
【０００１】
本発明は、投影画像の色ずれを調整するための投影装置及びレジストレーション調整方法に関する。
【背景技術】
【０００２】
従来、投影画像の色ずれを調整するレジストレーション調整機能を備えた装置が知られている。特許文献１には、画素を構成する一の色成分に基づいて、他の色成分の色ずれを補正する技術が開示されている。
【先行技術文献】
【特許文献】
【０００３】
【特許文献１】特開２００９−２３７２３８号公報
【発明の概要】
【発明が解決しようとする課題】
【０００４】
プロジェクタで画像を投影する場合、プロジェクタに搭載されているレンズの性能、ユーザにより設定される歪み補正、プロジェクタの設置位置、及び画像を投影する壁又はスクリーン等の投影面の凹凸等に起因して、投影する画像に色ずれが発生する。特許文献１のような従来技術を用いることで、投影する画像の色ずれを調整することが可能である。しかしながら、従来技術においては、設置位置又は投影面等の投影環境が変わると、投影環境に依存しないレンズ性能による色ずれを含むレジストレーション調整を一から行わなければならず、利用者（以下、ユーザという）にとって調整負担が大きかった。また、色ずれを発生させる要因が複数あることによってレジストレーション調整が複雑となり、ユーザの調整負担が大きくなっていた。
【０００５】
そこで、本発明はこれらの点に鑑みてなされたものであり、ユーザがレジストレーションを調整する負担を軽減するための投影装置及びレジストレーション調整方法を提供することを目的とする。
【課題を解決するための手段】
【０００６】
本発明の第１態様に係る投影装置は、入力画像に基づく投影用画像を投影する投影手段と、前記投影用画像のレジストレーション調整を行う調整手段と、投影環境に応じて前記入力画像の補正を行う補正手段と、前記調整手段と前記補正手段を制御する制御手段と、を有し、前記制御手段は、前記レジストレーション調整を単独で実行する単独調整モードと、前記レジストレーション調整と前記入力画像の補正とを実行する複合調整モードと、を切り換えることを特徴とする。
【０００７】
本発明の第２態様に係るレジストレーション調整方法は、コンピュータが実行する、入力画像に基づく投影用画像のレジストレーション調整を単独で実行する単独調整モードと、前記投影用画像のレジストレーション調整と投影環境に応じて行う前記入力画像の補正とを実行する複合調整モードとを切り換えるステップと、前記切り換えるステップの後に、前記単独調整モード又は前記複合調整モードを実行するステップと、前記単独調整モード又は前記複合調整モードを実行した後に前記投影用画像を投影するステップと、を有することを特徴とする。
【発明の効果】
【０００８】
本発明によれば、ユーザがレジストレーションを調整する負担を軽減することができるという効果を奏する。
【図面の簡単な説明】
【０００９】
【図１】第１実施形態に係る投影装置の構成を示す図である。
【図２】第１実施形態に係るレジストレーション調整方法について説明するための図である。
【図３】第１実施形態に係るキーストン補正を実行する処理の流れを示すフローチャートである。
【図４】第１実施形態に係るレジストレーション調整を実行する処理の流れを示すフローチャート（その１）である。
【図５】第１実施形態に係るレジストレーション調整を実行する処理の流れを示すフローチャート（その２）である。
【図６】第２実施形態に係る投影装置の構成を示す図である。
【図７】第２実施形態に係るレンズ駆動状態マトリックスを示す図である。
【図８】第２実施形態に係るレジストレーション調整データベースを示す図である。
【図９】第２実施形態に係るレジストレーション調整を行う処理の流れを示すフローチャートである。
【図１０】第３実施形態に係るレンズ種類マトリックスを示す図である。
【図１１】第３実施形態に係るレジストレーション調整データベースを示す図である。
【図１２】第３実施形態に係るレジストレーション調整を行う処理の流れを示すフローチャートである。
【発明を実施するための形態】
【００１０】
＜第１実施形態＞
［投影装置１００の構成］
図１は、第１実施形態に係る投影装置１００の構成を示す図である。投影装置１００は、例えば透過型液晶パネルを用いたプロジェクタ、ＤＬＰ（Digital Light Processing）、ＬＣＯＳ（Liquid Crystal On Silicon：反射型液晶）パネル等の表示デバイスを用いたプロジェクタである。投影装置１００は、記憶部１０１、制御部１０２、入力信号処理部１０３、キーストン補正部１０４、レジストレーション調整部１０５、画像表示素子駆動部１０６、投影部１０７を有する。投影部１０７は、光源１０８、画像表示素子１０９、及び投写レンズ１１０を有する。
【００１１】
記憶部１０１は、例えば、ＲＯＭ（Read Only Memory）、ＲＡＭ（Random Access Memory）及びハードディスク等の記憶媒体である。記憶部１０１は、制御部１０２が実行する各種のプログラムを記憶する。記憶部１０１は、レジストレーション調整用の画像パターン及びレジストレーション調整データベースを記憶する。レジストレーション調整データベースの構成については後述する。
【００１２】
制御部１０２は、不図示のＣＰＵ（Central Processing Unit）が記憶部１０１に記憶されたプログラムを実行することにより、制御手段として機能する。また、制御部１０２は、ユーザによって入力された入力操作を受け付ける受付手段としても機能する。入力操作は、リモコン又は投影装置１００に備えるボタンの操作によって入力される、ユーザからの指示を示す信号である。
【００１３】
制御部１０２は、入力操作に応じて、レジストレーション調整を行うために設けられた各種の調整モードに切り替える。調整モードの詳細については後述するが、投影装置１００には、レジストレーション調整以外の補正をしていない状態でレジストレーション調整を行う単独調整モードと、レジストレーション調整以外の補正をしている状態でレジストレーション調整を行う複合調整モードとが設けられている。制御部１０２は、入力操作に応じて、キーストン補正又はレジストレーション調整を行うために投影する画像として、入力信号処理部１０３が受信した入力画像を用いるか、予め記憶されているレジストレーション調整用の画像パターンを用いるかを切り替える。
【００１４】
本明細書における「補正」は、設置位置又は投影面等の投影環境が変わった際に行われる、投影装置１００が投影する画像の形状を変化させる処理である。本明細書における補正として、キーストン補正を例示するが、キーストン補正以外にも、円柱面状又は球面状の投影面に画像を投影する際に行われる幾何学歪み補正も含まれる。
【００１５】
入力信号処理部１０３は、画像信号を入力するための入力端子、及び入力端子を通じて入力された入力画像を受信するためのレシーバＩＣ（Integrated Circuit）を備える。入力信号処理部１０３は、受信した入力画像に対して、色変換、解像度変換、鮮鋭化処理、ＩＰ変換等の画像処理を施した第１投影画像を生成する。
【００１６】
キーストン補正部１０４は、入力操作に応じて、第１投影画像に対してキーストン補正を行う補正手段である。具体的には、キーストン補正部１０４は、第１投影画像をキーストン補正した第２投影画像を生成する。キーストン補正部１０４は、生成した第２投影画像をレジストレーション調整部１０５に入力する。キーストン補正部１０４は、ユーザによって入力されたキーストン補正値を記憶部１０１に記憶させる。なお、キーストン補正部１０４は、キーストン補正を行わない場合、入力信号処理部１０３から入力された第１投影画像を、そのまま第２投影画像としてレジストレーション調整部１０５に入力する。
【００１７】
レジストレーション調整部１０５は、入力操作に応じて、キーストン補正部１０４から入力された第２投影画像に対して、投写レンズ１１０の光学特性（例えば、投写レンズ１１０の収差）又は画像表示素子１０９の所定の位置への取り付けばらつき等に起因する色ずれを調整するレジストレーション調整を行う調整手段である。具体的には、レジストレーション調整部１０５は、キーストン補正部１０４から入力された第２投影画像に含まれる複数の画素に対して、擬似的に１画素未満の単位で色ずれを調整する。
【００１８】
例えば、ユーザが、左右に隣接する画素の位置を１／４画素分右側に移動させるレジストレーション調整の操作を行ったとする。ここで、左側の画素の輝度は１００（％）であり、右側の画素の輝度は０（％）であるとする。この場合において、レジストレーション調整部１０５は、第２投影画像における左側の画素の輝度を７５（％）に変更し、右側の画素の輝度を２５（％）に変更する。このようにレジストレーション調整部１０５は、擬似的に１画素未満の色ずれを調整して、第３投影画像を生成する。
【００１９】
レジストレーション調整部１０５は、ユーザによって入力されたレジストレーション調整値を記憶部１０１に記憶させる。
画像表示素子駆動部１０６は、入力画像に基づいて、画像表示素子１０９を駆動させる。
【００２０】
投影部１０７は、入力画像に基づく投影画像をスクリーンに投影する投影手段である。
光源１０８は、画像表示素子１０９に光を射出するランプであり、例えばハロゲンランプ、キセノンランプ、又は高圧水銀ランプ等である。
【００２１】
画像表示素子１０９は、複数枚の液晶パネルを含み、画像表示素子駆動部１０６からの投影画像信号に基づいて液晶パネル上に画像を形成する。本実施形態における画像表示素子１０９は、赤色、緑色、及び青色の３枚の液晶パネルを含むものとする。なお、投影装置１００が３色よりも多い色の液晶パネルを備える場合でも、本願発明を適用可能である。
投写レンズ１１０は、ズームレンズ及びフォーカスレンズを有しており、光源１０８から発せられた光によって画像表示素子１０９を照明することにより得られた入力画像信号の光学像を、スクリーンに投影する。
【００２２】
［調整モード］
続いて、レジストレーション調整を行うために設けられた各種の調整モードについて説明する。上述したように、投影装置１００は、レジストレーション調整を行う調整モードとして、単独調整モード及び複合調整モードを有する。単独調整モードは、キーストン補正部１０４がキーストン補正を施すことなく出力した第２投影画像に対して、レジストレーション調整を単独で実行する調整モードである。
【００２３】
複合調整モードは、投影用画像のレジストレーション調整と入力画像の補正とを実行する調整モードである。具体的には、複合調整モードにおいては、レジストレーション調整と、入力画像の補正の一例としてのキーストン補正とを実行する。すなわち、レジストレーション調整部１０５は、複合調整モードにおいて、キーストン補正部１０４がキーストン補正を施してから出力した第２投影画像に対してレジストレーション調整を実行する。
【００２４】
単独調整モードは、レンズ性能に起因した色ずれを調整するために設けられた調整モードであり、例えばプロジェクタが初めて使用される場合に選択される調整モードである。複合調整モードは、投影環境に起因した歪み及び色ずれを調整するために設けられた調整モードであり、例えば投影環境を変えた場合に選択される調整モードである。
【００２５】
制御部１０２は、ユーザが単独調整モード及び複合調整モードのいずれかを選択することに応じて、単独調整モードと、複合調整モードとを切り換える。例えば、ユーザが、レンズ性能に起因した色ずれを調整したいと考えた場合、単独調整モードを選択してレジストレーション調整を行う。この場合において、レジストレーション調整部１０５は、単独調整モードにおいて設定されたレジストレーション調整値である基礎調整値をレジストレーション調整データベースに記憶させる。
【００２６】
一方、ユーザが、プロジェクタの設置場所を変えたことにより発生した歪み及び色ずれを調整したいと考えた場合、キーストン補正を行った後に、複合調整モードを選択してレジストレーション調整を行う。この場合において、レジストレーション調整部１０５は、複合調整モードにおいて設定されたレジストレーション調整値である特定調整値をレジストレーション調整データベースに記憶させる。
【００２７】
図２は、第１実施形態に係るレジストレーション調整方法について説明するための図である。図２（ａ）は、第１実施形態に係るレジストレーション調整画面の一例を示す図である。図２（ｂ）は、第１実施形態に係るレジストレーション調整データベースを示す図である。図２（ａ）に示すように、レジストレーション調整を行うために投影されるレジストレーション調整画面２００においては、レジストレーション調整が可能な位置である調整位置として、中央点Ａ、左上点Ｂ、左下点Ｃ、右上点Ｄ、及び右下点Ｅが表示されている。レジストレーション調整部１０５は、ユーザの入力操作により選択された調整位置においてレジストレーション調整を実行する。なお、レジストレーション調整を実行可能な位置は任意であり、上記の中央点Ａ、左上点Ｂ、左下点Ｃ、右上点Ｄ、及び右下点Ｅに限定されない。
【００２８】
図２（ｂ）に示すレジストレーション調整データベースは、図２（ａ）に示す調整位置、調整する液晶パネルを示す色種、及びレジストレーション調整値を関連付けて記憶している。レジストレーション調整データベースにおいては、レジストレーション調整値が、初期設定値、基礎調整値、及び特定調整値に分類されている。
【００２９】
ここで、初期設定値は、単独調整モードが実行される前に書き込まれたレジストレーション調整値である。具体的には、初期設定値は、プロジェクタに搭載されるレンズの性能を予め考慮したパラメータであり、例えばプロジェクタの製造時にプリセットされたレジストレーション調整値である。基礎調整値は、個体差による初期設定値の誤差を補完するパラメータであり、単独調整モードにおいてユーザに設定されるレジストレーション調整値である。特定調整値は、投影環境に起因した色ずれ又は投影環境に合わせて補正されたキーストン補正に起因した色ずれを調整するパラメータであり、複合調整モードにおいてユーザに設定されるレジストレーション調整値である。
【００３０】
制御部１０２は、単独調整モードの場合、初期設定値に対する差分値として基礎調整値を設定するためのレジストレーション調整画面２００を投影部１０７に投影させる。具体的には、まず、レジストレーション調整部１０５は、レジストレーション調整データベースに記憶されている初期設定値及び基礎調整値を、投影する画像に反映する。
【００３１】
例えば、レジストレーション調整部１０５は、図２（ｂ）に示す調整位置Ａの赤色に対して、初期設定値の縦方向「＋２」、横方向「＋２」に、基礎調整値の縦方向「−１」、横方向「−１」を加算して、縦方向「＋１」、横方向「＋１」を算出する。同様に、レジストレーション調整部１０５は、緑色に対して、縦方向「＋２」、横方向「＋２」を算出し、青色に対して、縦方向「＋１」、横方向「＋１」を算出する。レジストレーション調整部１０５は、投影する画像に対して、算出したレジストレーション調整値を反映する。そして、制御部１０２は、各レジストレーション調整値を反映した画像において、初期設定値が変更できず、基礎調整値のみ変更可能とするレジストレーション調整画面２００を投影部１０７に投影させる。
【００３２】
一方、制御部１０２は、複合調整モードの場合、基礎調整値に対する差分値として特定調整値を設定するためのレジストレーション調整画面２００を投影部１０７に投影させる。具体的には、まず、レジストレーション調整部１０５は、レジストレーション調整データベースに記憶されている初期設定値、基礎調整値、及び特定調整値を、投影する画像に反映する。
【００３３】
例えば、レジストレーション調整部１０５は、図２（ｂ）に示す調整位置Ａの赤色に対して、初期設定値の縦方向「＋２」、横方向「＋２」に、基礎調整値の縦方向「−１」、横方向「−１」と、特定調整値の縦方向「＋１」、横方向「±０」とを加算して、縦方向「＋２」、横方向「＋１」を算出する。同様に、レジストレーション調整部１０５は、緑色に対して、縦方向「＋２」、横方向「＋２」を算出し、青色に対して、縦方向「＋２」、横方向「＋２」を算出する。レジストレーション調整部１０５は、投影する画像に対して、算出したレジストレーション調整値を反映する。そして、制御部１０２は、各調整値を反映した画像において、初期設定値及び基礎調整値が変更できず、特定調整値のみ変更可能とするレジストレーション調整画面２００を投影部１０７に投影させる。
【００３４】
このように色ずれが発生する要因ごとに分類し、それぞれの要因に対してレジストレーション調整が行えるようにすることで、投影装置１００は、投影環境を変えた際に設定するレジストレーション調整値の変更量を少なく抑えることができる。制御部１０２は、レジストレーション調整を実行する際、ユーザにより所定の補正を実行するモードに設定されている場合に、複合調整モードに切り換えてもよい。
【００３５】
ところで、過去にプロジェクタを使用したことがある投影環境で再度プロジェクタを使用する場合、ユーザは、プロジェクタを使用する度にレジストレーション調整を行わなければならず、手間となる。そこで、レジストレーション調整部１０５は、複合調整モードにおいて実行された入力画像の補正値に関連付けて、特定調整値を記憶させる。具体的には、レジストレーション調整部１０５は、複合調整モードにおいて実行された入力画像の補正値及び特定調整値の組合せを識別するための識別情報に関連付けて、特定調整値を記憶させる。より具体的には、レジストレーション調整部１０５は、複合調整モードにおいて設定されたキーストン補正値、特定調整値、及び識別情報を関連付けてレジストレーション調整データベースに記憶させる。
【００３６】
この場合、制御部１０２は、識別情報を特定するための操作を受け付けた場合に、特定した識別情報に対応する特定調整値を基準として調整値を設定するための画面を投影部１０７に投影させる。例えば、ユーザが、Ａ会議室でプロジェクタを使用したときに設定したキーストン補正値及び特定調整値を、識別情報「Ａ会議室」に関連付けてレジストレーション調整データベースに保存したとする。
【００３７】
この場合において、ユーザが識別情報「Ａ会議室」を選択した場合、まず、キーストン補正部１０４は、レジストレーション調整データベースで「Ａ会議室」に関連付けて記憶されているキーストン補正値を第１投影画像に反映した第２投影画像を生成する。次に、レジストレーション調整部１０５は、レジストレーション調整データベースに記憶されている初期設定値及び基礎調整値と、レジストレーション調整データベースで「Ａ会議室」に関連付けて記憶されている特定調整値とを第２投影画像に反映した第３投影画像を生成する。そして、制御部１０２は、第３投影画像を投影部１０７に投影させる。このように識別情報、キーストン補正値、及び特定調整値を関連付けて記憶させることで、投影装置１００は、ユーザがレジストレーション調整値を設定することによる手間を省くことができる。
【００３８】
［キーストン補正を実行する処理］
続いて、キーストン補正を実行する処理の流れについて説明する。図３は、第１実施形態に係るキーストン補正を実行する処理の流れを示すフローチャートである。本フローチャートは、ユーザによってキーストン補正機能を起動する操作が入力されることを契機として開始する。
【００３９】
ステップＳ１において、制御部１０２は、キーストン補正を行うために表示する画像選択画面を投影する。ステップＳ２において、制御部１０２は、キーストン補正用の画像パターンを投影するかを判定する。具体的には、制御部１０２は、予め記憶されているキーストン補正用の画像パターンを投影するか、第１投影画像を投影するかを判定する。
【００４０】
制御部１０２は、ユーザが画像選択画面においてキーストン補正用の画像パターンを選択したと判定した場合、ステップＳ３において、キーストン補正用の画像パターンを投影する。一方、制御部１０２は、ユーザが画像選択画面において入力画像を選択したと判定した場合、ステップＳ４において、第１投影画像を投影する。
【００４１】
続いて、ユーザは、投影された画像に基づいて、キーストン補正値の設定操作を行う。具体的には、ステップＳ５において、キーストン補正部１０４は、ユーザによって入力されたキーストン補正値に基づいて、投影される画像に対してキーストン補正を施す。
【００４２】
続いて、ステップＳ６において、制御部１０２は、キーストン補正が終了したかを判定する。具体的には、制御部１０２は、ユーザによってキーストン補正機能を停止する操作が入力されたかを判定する。制御部１０２は、キーストン補正が終了していないと判定した場合、処理をステップＳ５に戻す。一方、キーストン補正部１０４は、制御部１０２が、キーストン補正が終了したと判定した場合、ステップＳ７において、ユーザによって入力されたキーストン補正値を記憶部１０１に保存させる。
【００４３】
［レジストレーション調整を実行する処理］
続いて、レジストレーション調整を実行する処理の流れについて説明する。図４及び図５は、第１実施形態に係るレジストレーション調整を実行する処理の流れを示すフローチャートである。本フローチャートは、ユーザによってレジストレーション調整機能を起動する操作が入力されることを契機として開始する。
【００４４】
ステップＳ１１において、制御部１０２は、ユーザの入力操作に基づいて、基礎調整モードで調整するか、複合調整モードで調整するかを判定する。レジストレーション調整部１０５は、制御部１０２が単独調整モードを選択したと判定した場合、ステップＳ１２において、投影する画像に反映させるレジストレーション調整値を選択する。具体的には、レジストレーション調整部１０５は、レジストレーション調整データベースに記憶されている初期設定値、及び過去に行われた基礎調整モードにおける調整において設定された基礎調整値を選択する。
【００４５】
ステップＳ１３において、制御部１０２は、ユーザがレジストレーション調整を行うために表示する画像選択画面を投影する。ここで、第１投影画像を補正している状態で単独調整モードが起動された場合、制御部１０２は、第１投影画像を補正している状態を解除してから、基礎調整値を設定するためのレジストレーション調整画面２００を投影部１０７に投影させる。具体的には、キーストン補正をしている状態で単独調整モードが起動された場合、制御部１０２は、キーストン補正をすることなく基礎調整値を設定するためのレジストレーション調整画面２００を投影部１０７に投影させる。このように、制御部１０２は、レジストレーション調整を行う前に設定されたキーストン補正値を投影する画像に反映しないことで、レンズ性能以外の要因によって発生する色ずれを排除することができる。これにより、ユーザは、レンズ性能に起因した色ずれに特化したレジストレーション調整を行うことができる。
【００４６】
ステップＳ１４において、制御部１０２は、レジストレーション調整用の画像パターンを投影するかを判定する。具体的には、制御部１０２は、予め記憶されているレジストレーション調整用の画像パターンを投影するか、第１投影画像を投影するかを判定する。制御部１０２は、ユーザがレジストレーション調整用の画像パターンを選択したと判定した場合、ステップＳ１５において、レジストレーション調整用の画像パターンを投影する。具体的には、制御部１０２は、レジストレーション調整部１０５が選択した初期設定値及び基礎調整値を反映させてレジストレーション調整用の画像パターンを投影する。一方、制御部１０２は、ユーザが入力画像を選択したと判定した場合、ステップＳ１６において、第１投影画像を投影する。具体的には、制御部１０２は、レジストレーション調整部１０５が選択した初期設定値及び基礎調整値を反映させて第１投影画像を投影する。
【００４７】
続いて、ユーザは、投影された画像に基づいて、レジストレーション調整値の設定操作を行う。具体的には、ステップＳ１７において、レジストレーション調整部１０５は、ユーザによって入力された基礎調整値に基づいて、投影される画像に対してレジストレーション調整を施す。
【００４８】
続いて、ステップＳ１８において、制御部１０２は、レジストレーション調整が終了したかを判定する。具体的には、制御部１０２は、ユーザによってレジストレーション調整機能を停止する操作が入力されたかを判定する。制御部１０２は、レジストレーション調整が終了していないと判定した場合、処理をステップＳ１７に戻す。一方、レジストレーション調整部１０５は、制御部１０２が、レジストレーション調整が終了したと判定した場合、ステップＳ１９において、ユーザによって入力された基礎調整値を保存する。
【００４９】
レジストレーション調整部１０５は、ステップＳ１１において制御部１０２が複合調整モードで調整すると判定した場合、ステップＳ２１において、投影する画像に反映させるキーストン補正値、及びキーストン補正時のレジストレーション調整値を選択する。具体的には、まず、キーストン補正部１０４は、記憶部１０１に記憶されており、レジストレーション調整を行う前に設定されたキーストン補正値を取得する。制御部１０２は、キーストン補正値が設定されている場合、複合調整モードで調整すると判定してもよい。具体的には、制御部１０２は、ユーザによって入力されたキーストン補正値が記憶部１０１に保存されている場合、複合調整モードで調整すると判定する。
【００５０】
そして、レジストレーション調整部１０５は、レジストレーション調整データベースに記憶されている初期設定値、基礎調整値、及び特定調整値を選択する。レジストレーション調整部１０５によって選択される基礎調整値は、過去に行われた基礎調整モードにおける調整において設定された基礎調整値である。また、レジストレーション調整部１０５によって選択される特定調整値は、過去に行われた複合調整モードにおける調整において設定された特定調整値である。
【００５１】
ステップＳ２２において、制御部１０２は、ユーザがレジストレーション調整を行うために表示する画像選択画面を投影する。ステップＳ２３において、制御部１０２は、レジストレーション調整用の画像パターンを投影するか、第２投影画像を投影するかを判定する。
【００５２】
制御部１０２は、ユーザがレジストレーション調整用の画像パターンを選択したと判定した場合、ステップＳ２４において、レジストレーション調整用の画像パターンを投影する。具体的には、制御部１０２は、キーストン補正部１０４が取得したキーストン補正値を反映させ、レジストレーション調整部１０５が選択した初期設定値、基礎調整値、及び特定調整値を反映させたレジストレーション調整用の画像パターンを投影する。一方、制御部１０２は、ユーザが入力画像を選択したと判定した場合、ステップＳ２５において、第２投影画像を投影する。具体的には、制御部１０２は、キーストン補正部１０４が取得したキーストン補正値を反映させ、レジストレーション調整部１０５が選択した初期設定値、基礎調整値、及び特定調整値を反映させて第２投影画像を投影する。
【００５３】
続いて、ユーザは、投影された画像に基づいて、レジストレーション調整値の設定操作を行う。具体的には、ステップＳ２６において、レジストレーション調整部１０５は、ユーザによって入力された特定調整値に基づいて、投影される画像に対してレジストレーション調整を施す。
【００５４】
続いて、ステップＳ２７において、制御部１０２は、レジストレーション調整が終了したかを判定する。具体的には、制御部１０２は、ユーザによってレジストレーション調整機能を停止する操作が入力されたかを判定する。制御部１０２は、レジストレーション調整が終了していないと判定した場合、処理をステップＳ２６に戻す。一方、レジストレーション調整部１０５は、制御部１０２が、レジストレーション調整が終了したと判定した場合、ステップＳ２８において、ユーザによって入力された特定調整値を保存する。
【００５５】
本実施例において、制御部１０２は、レジストレーション調整用の画像パターンを投影するかを判定したが、これに限らない。例えば、制御部１０２は、初期表示としてレジストレーション調整用の画像パターンを投影し、ユーザの操作に応じて入力画像に切り替えられるようにしてもよい。この場合において、例えば、制御部１０２は、キーストン補正値が設定された状態で投影する画像を切り替える操作を受け付けた場合、設定されたキーストン補正値を反映させて画像を投影させる。このように投影する画像を切り替えてもユーザが設定したキーストン補正値又はレジストレーション調整値を維持することで、ユーザの設定負担を軽減することができる。
【００５６】
［第１実施形態における効果］
以上説明したとおり、第１実施形態に係る投影装置１００は、色ずれが発生する要因に対応した調整モードをユーザが選択し、選択された調整モードに対応したレジストレーション調整値の設定を行う。このようにすることで、投影装置１００は、レジストレーション調整値を大幅に変更することなく、少量を変更することによりレジストレーション調整を行うことができる。その結果、ユーザは、レジストレーションを調整する負担が軽減する。
【００５７】
＜第２実施形態＞
［レンズの駆動状態に関連付けて基礎調整値を記憶する］
続いて、第２実施形態について説明する。第２実施形態に係る投影装置１００は、単独調整モードにおいてレジストレーション調整を行った場合、レンズの駆動状態に関連付けて基礎調整値を記憶する点で第１実施形態と異なる。以下、第１実施形態と異なる部分について説明を行う。第１実施形態と同じ部分については適宜説明を省略する。
【００５８】
図６は、第２実施形態に係る投影装置１００の構成を示す図である。図６に示すように、第２実施形態に係る投影装置１００は、レンズ駆動部１１１をさらに有する。
レンズ駆動部１１１は、入力操作に応じて、投写レンズ１１０を駆動させる。レンズ駆動部１１１は、例えば、投写レンズ１１０のフォーカス、ズーム倍率、又はレンズシフト等を調整する。
【００５９】
第２実施形態に係る記憶部１０１は、初期設定値を、レンズの駆動状態に関連付けて記憶する。図７は、第２実施形態に係るレンズ駆動状態マトリックスを示す図である。図７に示すレンズ駆動状態マトリックスにおいては、レンズ駆動状態識別番号、色種、投写レンズ１１０の駆動状態を示すレンズ駆動状態、及び初期設定値が関連付けられている。
【００６０】
レンズ駆動状態マトリックスにおいては、レンズ駆動状態として、投影する画像の位置を上下左右に移動させるレンズシフト量が、レンズシフトが可能な範囲内において初期設定値に関連付けられている。レンズ駆動状態マトリックスにおいては、レンズの駆動状態として、ズーム倍率又は焦点距離等がさらに初期設定値に関連付けられていてもよい。
【００６１】
図８は、第２実施形態に係るレジストレーション調整データベースを示す図である。図８に示すレジストレーション調整データベースは、調整位置、色種、レンズ駆動状態識別番号、及び基礎調整値を関連付けて記憶している。レジストレーション調整データベースは、レジストレーション調整値として、特定調整値をさらに関連付けて記憶してもよい。このように、記憶部１０１は、レンズの駆動状態に関連付けて、基礎調整値を記憶する。
【００６２】
第２実施形態に係る制御部１０２は、単独調整モードにおいて、レンズの駆動状態に対応する初期設定値に対する差分値として基礎調整値を設定するためのレジストレーション調整画面２００を投影部１０７に投影させる。具体的には、まず、レジストレーション調整部１０５は、レンズ駆動状態マトリックスでレンズ駆動状態に対応する初期設定値を特定する。また、レジストレーション調整部１０５は、レジストレーション調整データベースでレンズ駆動状態に関連付けられている基礎調整値を特定する。続いて、レジストレーション調整部１０５は、特定した初期設定値及び基礎調整値を、投影する画像に反映する。
【００６３】
例えば、ユーザが、投写レンズ１１０のレンズシフトを縦方向に＋１、横方向に±０、というように設定操作を行ったとする。この場合において、レジストレーション調整部１０５は、図８に示す調整位置Ａの赤色に対して、レンズ駆動状態識別番号「Ｒ２」が示す初期設定値の縦方向「＋０．１」、横方向「±０」に、基礎調整値の縦方向「−１」、横方向「−１」を加算して、縦方向「−０．９」、横方向「−１」を算出する。同様に、レジストレーション調整部１０５は、緑色に対して、縦方向「＋１．２」、横方向「＋１」を算出し、青色に対して、縦方向「＋０．４」、横方向「±０」を算出する。レジストレーション調整部１０５は、投影する画像に対して、算出したレジストレーション調整値を反映する。そして、制御部１０２は、各レジストレーション調整値を反映した画像において、初期設定値が変更できず、基礎調整値のみ変更可能とするレジストレーション調整画面２００を投影部１０７に投影させる。
【００６４】
図９は、第２実施形態に係るレジストレーション調整を行う処理の流れを示すフローチャートである。図９に示すステップＳ１３からステップＳ１８は、図４に示すステップＳ１３からステップＳ１８に対応する。本フローチャートは、ユーザによって、基礎調整モードを選択する操作が入力されたことを契機として開始する。
【００６５】
ステップＳ４１において、レジストレーション調整部１０５は、投影する画像に反映させるレジストレーション調整値を選択する。具体的には、まず、レジストレーション調整部１０５は、レンズ駆動部１１１からレンズの駆動状態を取得する。次に、レジストレーション調整部１０５は、レンズ駆動状態マトリックスから、取得したレンズの駆動状態に対応する識別番号を取得する。また、レジストレーション調整部１０５は、レンズ駆動状態マトリックスから、取得したレンズの駆動状態に対応する初期設定値を選択する。そして、レジストレーション調整部１０５は、取得した識別番号に関連付けてレジストレーション調整データベースに記憶されている基礎調整値を選択する。
【００６６】
続いて、レジストレーション調整部１０５は、ステップＳ１３からステップＳ１８を実行し、ステップＳ１８において制御部１０２が、レジストレーション調整が終了したと判定した場合、ステップＳ４２において、レンズの駆動状態に関連付けて基礎調整値を保存する。
【００６７】
［第２実施形態における効果］
以上説明したとおり、第２実施形態に係る投影装置１００は、レンズの駆動状態に関連付けて基礎調整値を保存する。このようにすることで、投影装置１００は、レンズシフト又はズーム倍率等を操作することによって色ずれが発生しても、レジストレーション調整値を大幅に変更することなく、少量の変更に抑えることができる。
【００６８】
＜第３実施形態＞
［レンズの種類に関連付けて基礎調整値を記憶する］
続いて、第３実施形態について説明する。プロジェクタに装着するレンズが交換可能な場合、装着するレンズの種類に応じて色ずれの状態が異なる。そこで、第３実施形態に係る投影装置１００は、単独調整モードにおいて、レンズの種類に関連付けて基礎調整値を記憶する。
【００６９】
第３実施形態に係る記憶部１０１は、初期設定値を、投影部１０７に装着されるレンズの種類に関連付けて記憶する。レンズの種類は、レンズ種別に基づいて定められており、例えば、短焦点レンズ、標準レンズ、及び長焦点レンズがある。
【００７０】
図１０は、第３実施形態に係るレンズ種類マトリックスを示す図である。図１０に示すレンズ種類マトリックスにおいては、レンズ種別、色種、及び初期設定値が関連付けられている。ここで、レンズ種別の「Ｌ１」は短焦点レンズであり、「Ｌ２」は標準レンズであるとする。
【００７１】
図１１は、第３実施形態に係るレジストレーション調整データベースを示す図である。図１１に示すレジストレーション調整データベースは、調整位置、色種、レンズ種別、及び基礎調整値を関連付けて記憶している。レジストレーション調整データベースは、レジストレーション調整値として、特定調整値をさらに関連付けて記憶してもよい。このように記憶部１０１は、投影部１０７に装着されるレンズの種類に関連付けて、基礎調整値を記憶する。
【００７２】
制御部１０２は、単独調整モードにおいて、投影部１０７に装着されるレンズの種類に対応する初期設定値に対する差分値として基礎調整値を設定するためのレジストレーション調整画面２００を投影部１０７に投影させる。具体的には、まず、レジストレーション調整部１０５は、レンズ種類マトリックスで投写レンズ１１０のレンズ種類に対応する初期設定値、及びレジストレーション調整データベースで当該レンズ種類に関連付けられている基礎調整値を、投影する画像に反映する。
【００７３】
例えば、投写レンズ１１０のレンズ種別が標準レンズである場合、レジストレーション調整部１０５は、図１１に示す調整位置Ａの赤色に対して、レンズ種別「Ｌ２」が示す初期設定値の縦方向「±０」、横方向「±０」に、基礎調整値の縦方向「−１」、横方向「−１」を加算して、縦方向「−１」、横方向「−１」を算出する。同様に、レジストレーション調整部１０５は、緑色に対して、縦方向「＋１．５」、横方向「＋１．５」を算出し、青色に対して、縦方向「＋２」、横方向「＋２」を算出する。レジストレーション調整部１０５は、投影する画像に対して、算出したレジストレーション調整値を反映する。そして、制御部１０２は、各レジストレーション調整値を反映した画像において、初期設定値が変更できず、基礎調整値のみ変更可能とするレジストレーション調整画面２００を投影部１０７に投影させる。
【００７４】
図１２は、第３実施形態に係るレジストレーション調整を行う処理の流れを示すフローチャートである。図１２に示すステップＳ１３からステップＳ１８は、図４に示すステップＳ１３からステップＳ１８に対応する。本フローチャートは、ユーザによって、基礎調整モードを選択する操作が入力されたことを契機として開始する。
【００７５】
ステップＳ５１において、レジストレーション調整部１０５は、投影する画像に反映させるレジストレーション調整値を選択する。具体的には、まず、レジストレーション調整部１０５は、投写レンズ１１０からレンズの種類を取得する。次に、レジストレーション調整部１０５は、レンズ種類マトリックスから、取得したレンズの種類に対応するレンズ種別を取得する。また、レジストレーション調整部１０５は、レンズ種類マトリックスから、取得したレンズの種類に対応する初期設定値を選択する。そして、レジストレーション調整部１０５は、取得したレンズ種別に関連付けてレジストレーション調整データベースに記憶されている基礎調整値を選択する。
【００７６】
続いて、レジストレーション調整部１０５は、ステップＳ１３からステップＳ１８を実行し、ステップ１８において制御部１０２が、レジストレーション調整が終了したと判定した場合、ステップＳ５２において、レンズの種類に関連付けて基礎調整値を保存する。
【００７７】
［第３実施形態における効果］
以上説明したとおり、第３実施形態に係る投影装置１００は、投写レンズ１１０のレンズ種類に関連付けて基礎調整値を保存する。このようにすることで、投影装置１００は、
異なる種類のレンズに交換したことによって色ずれが発生しても、レジストレーション調整値を大幅に変更することなく、少量の変更に抑えることができる。
【００７８】
以上、本発明を実施の形態を用いて説明したが、本発明の技術的範囲は上記実施の形態に記載の範囲には限定されず、その要旨の範囲内で種々の変形及び変更が可能である。例えば、投影装置１００は、レンズ種別ごとに対応するレンズ駆動状態に関連付けて初期設定値及び基礎調整値を記憶部１０１に記憶してもよい。この場合、レジストレーション調整部１０５は、単独調整モードにおいて、レンズ駆動部１１１がレンズを駆動している状態、及び投写レンズ１１０のレンズ種類に対応する初期設定値及び基礎調整値を、投影する画像に反映する。
【００７９】
また、例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８０】
１００  投影装置
１０１  記憶部
１０２  制御部
１０４  キーストン補正部
１０５  レジストレーション調整部
１０７  投影部
【図１】
2019041255.tif 000003
【図２】
2019041255.tif 000004
【図３】
2019041255.tif 000005
【図４】
2019041255.tif 000006
【図５】
2019041255.tif 000007
【図６】
2019041255.tif 000008
【図７】
2019041255.tif 000009
【図８】
2019041255.tif 000010
【図９】
2019041255.tif 000011
【図１０】
2019041255.tif 000012
【図１１】
2019041255.tif 000013
【図１２】
2019041255.tif 000014